(57)【要約】  化粧料を定量吐出するために提供される装置を備えたシステム。この装置は、化粧料を含む少なくとも１つのカートリッジを受け取るとともに指定量の化粧料をカートリッジから受領エリアに定量吐出するように構成された定量吐出アセンブリと；定量吐出情報を受け取って記憶するように構成されたメモリであって、定量吐出情報が、化粧品塗布の指定された単一使用を達成するために、定量吐出アセンブリ中に配置された各カートリッジについて定量吐出されるべき化粧料の指定量を含む、メモリと；定量吐出情報をメモリから取得し、定量吐出情報に含まれる１つまたは複数の指定量に従って、定量吐出アセンブリ中に配置された各カートリッジから受領エリアに化粧料を定量吐出するよう定量吐出アセンブリを制御するように構成された回路とを備える。このシステムは、色の選択をユーザから受け取るように構成されたユーザインタフェースと；ユーザインタフェースにおいて受け取られた色の選択を受け取り、選択された色を形成するための１つまたは複数の化粧料の各々の量を決定し、１つまたは複数の化粧料の各々の決定された量を定量吐出装置に送信し、決定された量の１つまたは複数の化粧料の各々を複数のカートリッジから定量吐出するよう定量吐出装置を制御するように構成された回路とを備える。【選択図】図1
2019511933.tif 000002
【特許請求の範囲】
【請求項１】
化粧料を定量吐出するための装置であって、
化粧料を含む少なくとも１つのカートリッジを受け取り、指定量の前記化粧料を前記カートリッジから受領エリアに定量吐出するように構成された定量吐出アセンブリと、
定量吐出情報を受け取って記憶するように構成されたメモリであって、前記定量吐出情報が、化粧品塗布の指定された単一使用を達成するために、前記定量吐出アセンブリ中に配置された各カートリッジについて定量吐出されるべき前記化粧料の前記指定量を含む、メモリと、
前記定量吐出情報を前記メモリから取得し、前記定量吐出情報に含まれる前記１つまたは複数の指定量に従って、前記定量吐出アセンブリ中に配置された各カートリッジから前記受領エリアに前記化粧料を定量吐出するよう前記定量吐出アセンブリを制御するように構成された回路と
を備える装置。
【請求項２】
前記定量吐出アセンブリが、異なる化粧料を含む複数のカートリッジを受け取り、指定量の前記それぞれの化粧料を、共に混合されるように前記カートリッジの各々から前記受領エリアに同時に定量吐出するように構成された、請求項１に記載の装置。
【請求項３】
前記受領エリアが前記装置の取外し可能部分の一部として構成された、請求項１に記載の装置。
【請求項４】
前記取外し可能部分が、前記定量吐出された化粧料を保持する密閉容器として構成された、請求項３に記載の装置。
【請求項５】
複数のマニホールド貫通孔を有するマニホールドをさらに備え、前記マニホールドが、前記カートリッジのノズルに接続されて前記ノズル上に配置され、前記受領エリアが、前記マニホールドに接続されて前記マニホールドの上に配置され、
前記回路が、ある量の化粧料を前記カートリッジの前記ノズルから前記マニホールドの１つのマニホールド貫通孔を通して前記受領エリアに定量吐出するよう前記定量吐出アセンブリを制御する、請求項４に記載の装置。
【請求項６】
前記密閉容器が、
上部ふたと、
複数の基部貫通孔を有する基部と、
複数の底部ふた貫通孔を有する底部ふたとを備え、
前記上部ふたが前記基部の第１の面に接続され、前記底部ふたが前記基部の第２の面に接続され、前記底部ふたが前記マニホールドに接続され、前記複数のマニホールド貫通孔が前記複数の底部ふた貫通孔に整合されて接続され、前記複数の底部ふた貫通孔が前記複数の基部貫通孔に整合されて接続された、請求項５に記載の装置。
【請求項７】
前記密閉容器がさらに、
前記基部と前記底部ふたとの間に配置された複数の取付け磁石を備え、
前記複数の取付け磁石が前記密閉容器を前記マニホールドに磁気的に固定する、請求項６に記載の化粧料を定量吐出するための装置。
【請求項８】
前記密閉容器がさらに、
前記基部と前記底部ふたとの間に配置された複数のふた磁石を備え、
前記複数のふた磁石が前記上部ふたを前記基部および前記底部ふたに磁気的に固定する、請求項６に記載の化粧料を定量吐出するための装置。
【請求項９】
前記密閉容器がさらに、
複数のヒンジ磁石を備え、
前記複数のヒンジ磁石の半分が、前記基部と前記底部ふたとの間に配置され、前記複数のヒンジ磁石の半分が、前記上部ふた内に配置され、前記上部ふた内に配置された前記複数のヒンジ磁石が、前記基部と前記底部ふたとの間に配置された前記対応する複数のヒンジ磁石とは逆の磁極性を有し、前記上部ふたが、前記基部および前記底部ふたの周りで磁気的に蝶番式に動かされ少なくとも１つの位置で配置される、請求項６に記載の化粧料を定量吐出するための装置。
【請求項１０】
前記上部ふたが前記基部および前記底部ふたに磁気的にのみ接続され、前記上部ふたが前記基部および前記底部ふたから完全に取外し可能である、請求項６に記載の化粧料を定量吐出するための装置。
【請求項１１】
前記密閉容器が、前記複数のマニホールド貫通孔が前記複数の底部ふた貫通孔および前記複数の基部貫通孔と整合するように、少なくとも１つの位置で前記マニホールドに接続されることが可能であり、前記カートリッジから前記コンパクトに化粧料を定量吐出できるようにする、請求項６に記載の化粧料を定量吐出するための装置。
【請求項１２】
各底部ふた貫通孔が、ダックビルバルブを有し、前記カートリッジから前記ダックビルバルブを通って前記密閉容器に化粧料が定量吐出されるのを可能にし、前記密閉容器から化粧料が流出するのを防止する、請求項６に記載の化粧料を定量吐出するための装置。
【請求項１３】
前記定量吐出アセンブリがさらに、
前記カートリッジの第１の端部に接続されたカートリッジ歯車と、
前記カートリッジ歯車に回転可能に接続されたモータ歯車と、
前記モータ歯車に接続されたモータであって、
前記モータの回転が、前記モータ歯車、前記カートリッジ歯車、および前記カートリッジの前記第１の端部の回転を駆動する、モータと、
前記カートリッジ歯車と前記モータ歯車とからなる組のうちの少なくとも一方に近接して配置された光学エンコーダと
を備え、
前記回路が、前記カートリッジ歯車と前記モータ歯車とからなる組のうちの少なくとも一方の位置を前記光学エンコーダで検出して、前記モータの回転の方向および大きさを制御して前記カートリッジの前記第１の端部を回転させることによって、ある量の化粧料をカートリッジから前記受領エリアに定量吐出する、請求項１に記載の化粧料を定量吐出するための装置。
【請求項１４】
前記カートリッジ歯車がさらに、
複数のカートリッジ歯車スロットを備え、
前記光学エンコーダが、前記カートリッジ歯車の回転中に前記カートリッジ歯車スロットを検出することによって、前記カートリッジ歯車の位置を検出する、請求項１３に記載の化粧料を定量吐出するための装置。
【請求項１５】
前記回路が、前記定量吐出アセンブリにカートリッジが挿入されてから回転が検出された前記カートリッジ歯車スロットの総数に基づいて、前記カートリッジ中に残っている化粧料の量の情報を記憶する、請求項１４に記載の化粧料を定量吐出するための装置。
【請求項１６】
化粧料を定量吐出するための装置によって実装される方法であって、前記装置が、化粧料を含む少なくとも１つのカートリッジを受け取るとともに指定量の前記化粧料を前記カートリッジから受領エリアに定量吐出するように構成された定量吐出アセンブリを備え、
定量吐出情報を受け取ってメモリに記憶することであって、前記定量吐出情報が、化粧品塗布の指定された単一使用を達成するために、前記定量吐出アセンブリ中に配置された各カートリッジについて定量吐出されるべき前記化粧料の前記指定量を含むものであること、および、
前記装置の回路によって前記定量吐出情報を前記メモリから取得し、前記定量吐出情報に含まれる前記１つまたは複数の指定量に従って、前記定量吐出アセンブリ中に配置された各カートリッジから前記受領エリアに前記化粧料を定量吐出するよう前記定量吐出アセンブリを制御すること
を含む方法。
【請求項１７】
化粧料を定量吐出するための装置であって、
化粧料を含む少なくとも１つのカートリッジを受け取り、指定量の前記化粧料を前記カートリッジから受領エリアに定量吐出するための定量吐出手段と、
定量吐出情報を受け取って記憶するための記憶手段であって、前記定量吐出情報が、化粧品塗布の指定された単一使用を達成するために、前記定量吐出手段中に配置された各カートリッジについて定量吐出されるべき前記化粧料の前記指定量を含む、記憶手段と、
前記定量吐出情報を前記記憶手段から取得し、前記定量吐出情報に含まれる前記１つまたは複数の指定量に従って、前記定量吐出手段中に配置された各カートリッジから前記受領エリアに前記化粧料を定量吐出するよう前記定量吐出手段を制御するための制御手段と
を備え、
前記決定された量の前記１つまたは複数の化粧料の各々を前記複数のカートリッジから定量吐出するよう前記定量吐出手段を制御する装置。
【請求項１８】
化粧料を選択および定量吐出するためのシステムであって、
異なる化粧料を各々が有する複数のカートリッジを保持し、前記カートリッジのうちの少なくとも１つから少なくとも１つの化粧料を定量吐出するように構成された定量吐出装置と、
色の選択をユーザから受け取るように構成されたユーザインタフェースと、
前記ユーザインタフェースにおいて受け取られた前記色の前記選択を受け取り、
前記選択された色を形成するための１つまたは複数の化粧料の各々の量を決定し、
前記１つまたは複数の化粧料の各々の前記決定された量を前記定量吐出装置に送信し、
前記決定された量の前記１つまたは複数の化粧料の各々を前記複数のカートリッジから定量吐出するよう前記定量吐出装置を制御するように構成された回路と
を備えるシステム。
【請求項１９】
前記色が、所定の複数の色からの、表示された色のユーザ選択を前記ユーザインタフェースにおいて受け取ることに基づいて選択される、請求項１８に記載のシステム。
【請求項２０】
前記所定の複数の色が、前記ユーザの身体的特徴の分析に基づいて生成される、請求項１９に記載のシステム。
【請求項２１】
前記回路が、前記定量吐出装置に現在格納されている前記複数のカートリッジの情報を受け取るように構成され、
前記回路が、前記受け取られた情報に基づいて形成できる複数の所定の色を表示するよう前記ユーザインタフェースを制御するように構成された、請求項１８に記載のシステム。
【請求項２２】
前記回路が、前記選択された色を形成するのに必要とされる正しい複数のカートリッジを前記定量吐出装置が備えないとき、前記ユーザインタフェース上に標識を表示するように構成された、請求項１８に記載のシステム。
【請求項２３】
前記回路が、前記定量吐出装置に収容された前記複数のカートリッジに含まれる現在の化粧料に関する情報を、前記選択された色の形成に必要とされる１つまたは複数の化粧料と比較し、前記定量吐出装置から除去される必要のある、前記定量吐出装置に収容された前記現在の複数のカートリッジのいずれかと、前記装置に挿入される必要のある、出力容器に定量吐出されることが必要とされる１つまたは複数の化粧品構成物のいずれかとに関する情報を出力するように構成された、請求項２２に記載のシステム。
【請求項２４】
前記色が、入力された色を前記ユーザインタフェースが受け取ることに基づいて選択され、前記回路が、前記入力された色を複数の所定の色と比較して、前記入力された色に対応する前記複数の所定の色のうちの１つを決定する、請求項１８に記載のシステム。
【請求項２５】
前記ユーザインタフェースが、前記装置とワイヤレス通信するポータブルワイヤレスデバイスによって実装される、請求項１８に記載のシステム。
【請求項２６】
前記回路が、前記複数のカートリッジの各々の中に残っている色料の量に関する情報を受け取る、請求項１８に記載のシステム。
【請求項２７】
前記回路が、定量吐出されるべき前記選択された色の用量の入力を前記ユーザインタフェースにおいて受け取り、前記回路が、前記複数のカートリッジのうちのいずれか１つの中に残っている色料の量が、前記入力された用量を定量吐出するのに不十分なとき、前記ユーザインタフェースにおいて標識を出力するように構成された、請求項２６に記載のシステム。
【請求項２８】
化粧料を選択および定量吐出するためのシステムによって実装される方法であって、前記システムが、異なる化粧料を各々が有する複数のカートリッジを保持するとともに前記カートリッジのうちの少なくとも１つから少なくとも１つの化粧料を定量吐出するように構成された定量吐出装置を備え、
ユーザインタフェースにおいて色の選択をユーザから受け取ること、
前記選択された色を形成するための１つまたは複数の化粧料の各々の量を決定すること、
前記１つまたは複数の化粧料の各々の前記決定された量を前記定量吐出装置に送信すること、および、
前記決定された量の前記１つまたは複数の化粧料の各々を前記複数のカートリッジから定量吐出するよう前記定量吐出装置を制御すること
を含む方法。
【請求項２９】
前記色が、所定の複数の色からの、表示された色のユーザ選択を前記ユーザインタフェースにおいて受け取ることに基づいて選択される、請求項２８に記載の方法。
【請求項３０】
前記所定の複数の色が、前記ユーザの身体的特徴の分析に基づいて生成される、請求項２９に記載の方法。
【請求項３１】
前記定量吐出装置に現在格納されている前記複数のカートリッジの情報を受け取り、前記受け取られた情報に基づいて形成できる複数の所定の色を表示するよう前記ユーザインタフェースを制御することをさらに含む、請求項２８に記載の方法。
【請求項３２】
前記定量吐出装置に現在格納されている前記複数のカートリッジの情報を受け取り、前記選択された色を形成するのに必要とされる正しい複数のカートリッジを前記定量吐出装置が備えないときに前記ユーザインタフェース上に標識を表示することをさらに含む、請求項２８に記載の方法。
【請求項３３】
前記定量吐出装置に格納された前記複数のカートリッジの現在の化粧料に関する情報を、前記選択された色の形成に必要とされる１つまたは複数の化粧料と比較し、前記定量吐出装置から除去される必要のある、前記定量吐出装置に収容された前記現在の複数のカートリッジのいずれかと、前記装置に挿入される必要のある、出力容器中に定量吐出されることが必要とされる１つまたは複数の化粧品構成物のいずれかとに関する情報を出力することをさらに含む、請求項３２に記載の方法。
【請求項３４】
前記色が、入力された色を前記ユーザから受け取り、前記入力された色を複数の所定の色と比較して、前記入力された色に対応する前記複数の所定の色のうちの１つを決定することに基づいて選択される、請求項２８に記載の方法。
【請求項３５】
前記複数のカートリッジの各々の中に残っている色料の量に関する情報を受け取ることをさらに含む、請求項２８に記載の方法。
【請求項３６】
定量吐出されるべき前記選択された色の用量の入力を前記ユーザインタフェースにおいて受け取り、前記複数のカートリッジのうちのいずれか１つの中に残っている色料の量が、前記入力された用量を定量吐出するのに不十分なとき、前記ユーザインタフェースにおいて標識を出力することをさらに含む、請求項３５に記載の方法。
【請求項３７】
化粧料を選択および定量吐出するためのシステムであって、
異なる化粧料を各々が有する複数のカートリッジを保持し、前記カートリッジのうちの少なくとも１つから少なくとも１つの化粧料を定量吐出するための定量吐出手段と、
色の選択をユーザから受け取るためのユーザインタフェース手段と、
前記ユーザインタフェース手段において受け取られた前記色の前記選択を受け取り、
前記選択された色を形成するための１つまたは複数の化粧料の各々の量を決定し、
前記１つまたは複数の化粧料の各々の前記決定された量を前記定量吐出手段に送信し、
前記決定された量の前記１つまたは複数の化粧料の各々を前記複数のカートリッジから定量吐出するよう前記定量吐出手段を制御するための制御手段と
を備えるシステム。
【発明の詳細な説明】
【技術分野】
【０００１】
関連出願への相互参照
本出願は、共に２０１６年１月２７日に出願された米国出願第１５／００８，１４２号および米国出願第１５／００８，１４５号に基づき、またこれらに対する優先権の利益を主張するものであり、これらの各米国出願の内容全体が、参照により本明細書に組み込まれる。
【０００２】
本明細書における開示は、一般に、特定のユーザ向けにブレンドし定量吐出することができる化粧料の組合せを決定するためのシステム、装置、および方法に関する。
【発明の概要】
【０００３】
本開示は、化粧料を定量吐出するためのシステムおよび方法を対象とする。
【０００４】
例証的な実装形態に関する前述の一般的な記述、および例証的な実装形態に関する後続の詳細な記述は、本開示の教示の例示的な態様に過ぎず、制限的なものではない。
【０００５】
一実施形態では、化粧料を定量吐出するための装置が提供される。この装置は、化粧料を含む少なくとも１つのカートリッジを受け取り、指定量の化粧料をカートリッジから受領エリアに定量吐出するように構成された定量吐出アセンブリと；定量吐出情報を受け取って記憶するように構成されたメモリであって、定量吐出情報が、化粧品塗布の指定された単一使用を達成するために、定量吐出アセンブリ中に配置された各カートリッジについて定量吐出されるべき化粧料の指定量を含む、メモリと；定量吐出情報をメモリから取得し、定量吐出情報に含まれる１つまたは複数の指定量に従って、定量吐出アセンブリ中に配置された各カートリッジから受領エリアに化粧料を定量吐出するよう定量吐出アセンブリを制御するように構成された回路とを備える。
【０００６】
一実施形態では、定量吐出アセンブリは、異なる化粧料を含む複数のカートリッジを受け取り、指定量のそれぞれの化粧料を、共に混合されるようにカートリッジの各々から受領エリアに同時に定量吐出するように構成される。
【０００７】
一実施形態では、受領エリアは、この装置の取外し可能部分の一部として構成される。
【０００８】
一実施形態では、取外し可能部分は、定量吐出された化粧料を保持する密閉容器として構成される。
【０００９】
一実施形態では、この装置はさらに、複数のマニホールド貫通孔を有するマニホールドを備え、マニホールドは、カートリッジのノズルに接続されてノズル上に配置され、受領エリアは、マニホールドに接続されてマニホールドの上に配置される。回路は、ある量の化粧料をカートリッジのノズルからマニホールドの１つのマニホールド貫通孔を通して受領エリアに定量吐出するよう定量吐出アセンブリを制御する。
【００１０】
一実施形態では、密閉容器は、上部ふたと、複数の基部貫通孔を有する基部と、複数の底部ふた貫通孔を有する底部ふたとを備える。上部ふたは基部の第１の面に接続され、底部ふたは基部の第２の面に接続され、底部ふたはマニホールドに接続され、複数のマニホールド貫通孔は、複数の底部ふた貫通孔に整合されて接続され、複数の底部ふた貫通孔は、複数の基部貫通孔に整合されて接続される。
【００１１】
一実施形態では、密閉容器はさらに、基部と底部ふたとの間に配置された複数の取付け磁石を備え、複数の取付け磁石は、密閉容器をマニホールドに磁気的に固定する。
【００１２】
一実施形態では、密閉容器はさらに、基部と底部ふたとの間に配置された複数のふた磁石を備え、複数のふた磁石は、上部ふたを基部および底部ふたに磁気的に固定する。
【００１３】
一実施形態では、密閉容器はさらに、複数のヒンジ磁石を備え、複数のヒンジ磁石の半分は、基部と底部ふたとの間に配置され、複数のヒンジ磁石の半分は、上部ふた内に配置され、上部ふた内に配置された複数のヒンジ磁石は、基部と底部ふたとの間に配置された対応する複数のヒンジ磁石とは逆の磁極性を有する。上部ふたは、基部および底部ふたの周りで磁気的に蝶番式に動かされ少なくとも１つの位置で配置される。
【００１４】
一実施形態では、上部ふたは、基部および底部ふたに磁気的にのみ接続され、上部ふたは、基部および底部ふたから完全に取外し可能である。
【００１５】
一実施形態では、密閉容器は、複数のマニホールド貫通孔が複数の底部ふた貫通孔および複数の基部貫通孔と整合するように、少なくとも１つの位置でマニホールドに接続されることが可能であり、カートリッジからコンパクトに化粧料を定量吐出できるようにする。
【００１６】
一実施形態では、各底部ふた貫通孔は、ダックビルバルブを有し、カートリッジからダックビルバルブを通って密閉容器に化粧料が定量吐出されるのを可能にし、密閉容器から化粧料が流出するのを防止する。
【００１７】
一実施形態では、定量吐出アセンブリはさらに、カートリッジの第１の端部に接続されたカートリッジ歯車と；カートリッジ歯車に回転可能に接続されたモータ歯車と；モータ歯車に接続されたモータであって、モータの回転が、モータ歯車、カートリッジ歯車、およびカートリッジの第１の端部の回転を駆動する、モータと；カートリッジ歯車とモータ歯車とからなる組のうちの少なくとも一方に近接して配置された光学エンコーダとを備える。回路は、カートリッジ歯車とモータ歯車とからなる組のうちの少なくとも一方の位置を光学エンコーダで検出して、モータの回転の方向および大きさを制御してカートリッジの第１の端部を回転させることによって、ある量の化粧料をカートリッジから受領エリアに定量吐出する。
【００１８】
一実施形態では、カートリッジ歯車はさらに、複数のカートリッジ歯車スロットを備え、光学エンコーダは、カートリッジ歯車の回転中にカートリッジ歯車スロットを検出することによって、カートリッジ歯車の位置を検出する。
【００１９】
一実施形態では、回路は、定量吐出アセンブリにカートリッジが挿入されてから回転が検出されたカートリッジ歯車スロットの総数に基づいて、カートリッジ中に残っている化粧料の量の情報を記憶する。
【００２０】
別の実施形態では、化粧料を定量吐出するための装置によって実装される方法が提供される。この方法は、定量吐出情報を受け取ってメモリに記憶することであって、定量吐出情報が、化粧品塗布の指定された単一使用を達成するために、定量吐出アセンブリ中に配置された各カートリッジについて定量吐出されるべき化粧料の指定量を含むものであること；および、装置の回路によって定量吐出情報をメモリから取得し、定量吐出情報に含まれる１つまたは複数の指定量に従って、定量吐出アセンブリ中に配置された各カートリッジから受領エリアに化粧料を定量吐出するよう定量吐出アセンブリを制御することを含む。
【００２１】
一実施形態では、化粧料を選択および定量吐出するためのシステムが提供される。このシステムは、異なる化粧料を各々が有する複数のカートリッジを保持し、カートリッジのうちの少なくとも１つから少なくとも１つの化粧料を定量吐出するように構成された定量吐出装置と；色の選択をユーザから受け取るように構成されたユーザインタフェースと；ユーザインタフェースにおいて受け取られた色の選択を受け取り、選択された色を形成するための１つまたは複数の化粧料の各々の量を決定し、１つまたは複数の化粧料の各々の決定された量を定量吐出装置に送信し、決定された量の１つまたは複数の化粧料の各々を複数のカートリッジから定量吐出するよう定量吐出装置を制御するように構成された回路とを備える。
【００２２】
一実施形態では、色は、所定の複数の色からの、表示された色のユーザ選択をユーザインタフェースにおいて受け取ることに基づいて選択される。
【００２３】
一実施形態では、所定の複数の色は、ユーザの身体的特徴の分析に基づいて生成される。
【００２４】
一実施形態では、回路は、定量吐出装置に現在格納されている複数のカートリッジの情報を受け取るように構成され、回路は、受け取られた情報に基づいて形成できる複数の所定の色を表示するようユーザインタフェースを制御するように構成される。
【００２５】
一実施形態では、回路は、選択された色を形成するのに必要とされる正しい複数のカートリッジを定量吐出装置が備えないとき、ユーザインタフェース上に標識を表示するように構成される。
【００２６】
一実施形態では、回路は、定量吐出装置に収容された複数のカートリッジに含まれる現在の化粧料に関する情報を、選択された色の形成に必要とされる１つまたは複数の化粧料と比較し、定量吐出装置から除去される必要のある、定量吐出装置に収容された現在の複数のカートリッジのいずれかと、装置に挿入される必要のある、出力容器に定量吐出されることが必要とされる１つまたは複数の化粧品構成物のいずれかとに関する情報を出力するように構成される。
【００２７】
一実施形態では、色は、入力された色をユーザインタフェースが受け取ることに基づいて選択され、回路は、入力された色を複数の所定の色と比較して、入力された色に対応する複数の所定の色のうちの１つを決定する。
【００２８】
一実施形態では、ユーザインタフェースは、装置とワイヤレス通信するポータブルワイヤレスデバイスによって実装される。
【００２９】
一実施形態では、回路は、複数のカートリッジの各々の中に残っている色料の量に関する情報を受け取る。
【００３０】
一実施形態では、回路は、定量吐出されるべき選択された色の用量の入力をユーザインタフェースにおいて受け取り、回路は、複数のカートリッジのうちのいずれか１つの中に残っている色料の量が、入力された用量を定量吐出するのに不十分なとき、ユーザインタフェースにおいて標識を出力するように構成される。
【００３１】
別の実施形態では、化粧料を選択および定量吐出するためのシステムによって実装される方法が提供される。この方法は、ユーザインタフェースにおいて色の選択をユーザから受け取ること、選択された色を形成するための１つまたは複数の化粧料の各々の量を決定すること、１つまたは複数の化粧料の各々の決定された量を定量吐出装置に送信すること、および、決定された量の１つまたは複数の化粧料の各々を複数のカートリッジから定量吐出するよう定量吐出装置を制御することを含む。
【００３２】
本開示のより完全な認識、および本開示に付随する利点の多くは、添付の図面と共に考察されたときの後続の詳細な記述を参照することによってよりよく理解されるようになるので、すぐに得られるであろう。
【図面の簡単な説明】
【００３３】
【図１】一例による、化粧品定量吐出デバイスまたは化粧品ディスペンサの全体斜視図である。
【図２】一例による、ディスペンサ筐体の斜視図である。
【図３】一例による、ディスペンサ筐体が除去された化粧品ディスペンサの斜視図である。
【図４Ａ】一例による、化粧品ディスペンサの内部コンポーネントの斜視図である。
【図４Ｂ】一例による、化粧品ディスペンサの内部コンポーネントの斜視図である。
【図５】一例による、カートリッジの斜視図である。
【図６】一例による、カートリッジ歯車の斜視図である。
【図７Ａ】一例による、底部プレートの斜視図である。
【図７Ｂ】一例による、下から見た底部プレートの斜視図である。
【図８】一例による、基部の斜視図である。
【図９Ａ】一例による、マニホールドの上に配置されたコンパクトの分解斜視図である。
【図９Ｂ】一例による、開位置のコンパクトの斜視図である。
【図１０】一例による、化粧品調合方法９００の主要プロセスの例示的なシーケンスを表す図である。
【図１１】一例による、化粧品ディスペンサ中の化粧料を検出するプロセスの例を表すプロセス図である。
【図１２Ａ−１２Ｂ】一例による、化粧品調合物を選択するプロセスの例を表すプロセス図である。
【図１３】一例による、化粧品ディスペンサ中の化粧料を定量吐出するプロセスの例を表すプロセス図である。
【図１４】一例による、コネクテッド化粧品定量吐出システムの例を表す図である。
【図１５】一例による、コントローラおよび化粧品ディスペンサの例示的な回路を表すブロック図である。
【発明を実施するための形態】
【００３４】
図面では、いくつかの図を通して、同じ参照番号は同一のまたは対応する部分を示す。さらに、本明細書において、単語「ａ」、「ａｎ」などは、別段の記載がない限り「１つまたは複数の」の意味を一般に持つ。
【００３５】
ここで図面を参照するが、いくつかの図を通して、同じ参照番号は同一のまたは対応する部分を示す。
【００３６】
化粧品調合物の選択、および化粧品調合物を調合するための成分化粧料の選択は、主観的な意思決定および手動入力にしばしば依拠する一般的な行動である。幅広い利用可能な化粧料と、可能な化粧品調合物の数えきれない組合せおよび並べ替えとがある。
【００３７】
化粧品調合物が使用される機会ごとに、満足のいく化粧品調合物を生み出すために化粧品のエンドユーザによって主観的な決定がしばしば行われる。成果は一般に実験の結果だが、この実験は、満足のいく成果を生み出すにはおそらく複数の反復を必要とする。基礎的な化粧料の具体的な特色および必要な割合に対する認識が限られているせいも一部あって、結果的な化粧品調合物は正確さに欠けることがある。したがって、特定の化粧品調合物を生み出すことの再現性は、達成困難である。以下の実施形態は、従来技術におけるこれらの問題に対処するものである。図１は、一例による、化粧品定量吐出デバイス１００または化粧品ディスペンサの全体斜視図である。化粧品ディスペンサ１００の可視部分は、電源コード１０４に接続された基部１０２を含む。基部１０２は、ディスペンサ筐体１０６のための支持を提供する。コンパクト１０８が、ディスペンサ筐体１０６の上に配置される。電源ボタン１１０が、部分的にディスペンサ筐体１０６内に配置されてよく、それにより、ディスペンサ筐体１０６は電源ボタン１１０の配置を固定する。また、インジケータライトおよびボタン１２２が、部分的にディスペンサ筐体１０６内に配置されてよく、それにより、ディスペンサ筐体１０６はインジケータライトおよびボタン１２２の配置を固定する。インジケータライトおよびボタン１２２は、機械式または静電容量式タッチタイプボタンとすることができる。
【００３８】
図２は、一例による、ディスペンサ筐体１０６の斜視図である。ディスペンサ筐体１０６は、化粧品ディスペンサ１００のコンポーネントの多くのためのカバーとしての働きをする、中空で薄肉の容器である。この例では、ディスペンサ筐体１０６は、隅丸のほぼ正方形の横断面を有する第１の端部を頂部に有し、一方、底部における第２の端部は、円形の横断面を有する。ディスペンサ筐体１０６は、コンパクト１０８のための、またはコンパクト１０８に対する基部としての働きをする他のコンポーネントのための、基部を提供することができる。ディスペンサ筐体１０６はまた、電源ボタン１１０のための取付けポイント、およびインジケータライトおよびボタン１２２のための取付けポイントを備えることもできる。
【００３９】
図３は、一例による、ディスペンサ筐体１０６が除去された化粧品ディスペンサ１００の斜視図である。この図では、電源ボタン１１０、インジケータライトおよびボタン１２２、コントローラ１５０、底部プレート１６６、誘導性プレート１７６、ならびに歯車ハウジング１７０が見え、また、下方筐体セクション１５４、中間筐体セクション１５５、および上方筐体セクション１５６も見える。電源ボタン１１０は、コントローラ１５０に電気的に接続される。
【００４０】
コントローラ１５０は、電源コード１０４を通して受け取られた電力を分配すること、化粧料を定量吐出するよう１つまたは複数のモータ１１２を制御すること、光学エンコーダ１９２の示度を検出すること、１つまたは複数の電池１２６を充電すること、インジケータライトおよびボタン１２２、チャイム、または他の視聴覚信号など、任意のインジケータを動作させ、化粧料の可用性ステータス、タイプ、および量を検出するなどのためのセンサを動作させること、ならびに外部デバイスとワイヤレス通信すること、のための回路を備え、この回路には、無線周波数（ＲＦ）、ブルートゥース、ＷｉＦｉ、またはセルラーなど、様々な通信プロトコルを使用して、スマートフォンおよび他のワイヤレスデバイスを例えば通して信号およびデータを送受信するための回路が含まれる。
【００４１】
誘導性プレート１７６は、基部１０２および電源コード１０４を除いて底部プレート１６６を支持し、化粧品ディスペンサ１００の残りの部分が、底部プレート１６６の真上に配置される。歯車ハウジング１７０は、化粧品ディスペンサ１００の内部コンポーネントの上に配置され、内部コンポーネントに接続され、内部コンポーネントに支持を提供する。これらの内部コンポーネントについては、図４〜図９Ｂによってさらに述べる。さらに、歯車ハウジング１７０は、化粧品ディスペンサ１００中の各カートリッジ１１４について１つの、複数の歯車ハウジングカートリッジ孔１７８を備える。各カートリッジ１１４のノズル１６０が、歯車ハウジングカートリッジ孔１７８のうちの１つの内部に配置される。様々な追加の下部構造およびカバーが、化粧品ディスペンサ１００の内部コンポーネントとディスペンサ筐体１０６との間に配置されてもよい。
【００４２】
例えば、上方筐体セクション１５６は、中間筐体セクション１５５の上に配置され、下方筐体セクション１５４は、中間筐体セクション１５５の下に配置される。ディスペンサ筐体１０６は、接続されたとき、下方筐体セクション１５４、中間筐体セクション１５５、および上方筐体セクション１５６のうちの少なくとも１つの外部に付着する。底部プレート１６６は、下方筐体セクション１５４の下に配置され、下方筐体セクション１５４に接続される。
【００４３】
図４Ａおよび図４Ｂは、一例による、化粧品ディスペンサ１００の内部コンポーネントの斜視図である。内部アセンブリは、底部プレート１６６および誘導性プレート１７６の上に配置された、複数の定量吐出アセンブリ１２０を含む。各定量吐出アセンブリ１２０は、カートリッジ１１４、カートリッジ歯車１１６、モータ１１２、モータ歯車１２４、イジェクタ１４０、イジェクタインデックスリング１９０、イジェクタばね１４２、イジェクタばねピン１４４、デテントプランジャ１４６、およびデテントばね１５２を備える。コントローラ１５０は、各定量吐出アセンブリ１２０の動作を制御する。化粧品ディスペンサ１００は、少なくとも１つの定量吐出アセンブリ１２０を備える。本明細書で述べる例は３つの定量吐出アセンブリ１２０を備えるが、化粧品ディスペンサ１００が任意の数の定量吐出アセンブリ１２０を有してよいことは、当業者なら認識するであろう。
【００４４】
さらに、化粧品ディスペンサ１００内部の複数の電池１２６が、複数の定量吐出アセンブリ１２０に電気的に接続されて、コントローラ１５０、定量吐出アセンブリ１２０、モータ１１２、ならびに様々なインジケータ（インジケータライトおよびボタン１２２（図３でさらに述べている）、チャイム、他の視聴覚信号など）の動作のための電力を提供する。
【００４５】
コントローラ１５０およびコネクテッドデバイス３００（図１４に示す）は、ユーザが化粧品ディスペンサ１００をワイヤレスに操作するのを可能にする。スマートフォン、タブレット、またはパーソナルコンピュータなど、化粧品ディスペンサ１００と通信するように構成されたコネクテッドデバイス３００から、コントローラ１５０への化粧料調合およびレシピコマンドが受け取られるものとすることができる。さらに、化粧料の定量吐出はまた、ユーザが化粧品ディスペンサ１００上のインジケータライトおよびボタン１２２に触れることによってトリガされてもよい。
【００４６】
カートリッジ１１４はまた、ノズル１６０上またはノズル１６０の近くに配置されたカートリッジキー１６２を有し、第１の端部の近くでカートリッジ歯車１１６に接続され、第２の端部の近くで底部プレート１６６に接続される。モータ歯車１２４がモータ１１２に接続され、モータ歯車１２４は、カートリッジ歯車１１６に駆動可能に接続される。カートリッジ１１４およびカートリッジ歯車１１６は、歯車ハウジング１７０（図３に示す）によって適正位置に保持される。カートリッジ１１４は、化粧品ディスペンサ１００の内部に配置されて、イジェクタばね１４２に接続されたイジェクタ１４０によって適所に固定されるものとすることができる。イジェクタばねピン１４４は、第１の端部においてイジェクタばね１４２に接続され、第２の端部において、ディスペンサ筐体１０６、下方筐体セクション１５４、中間筐体セクション１５５、上方筐体セクション１５６、および他の内部構造のうちの少なくとも１つの内部表面に堅く接続される。定量吐出アセンブリ１２０はさらに、カートリッジ１１４の挿入および取外しの間に化粧品ディスペンサ１００内でのイジェクタ１４０の動きをガイドするための、イジェクタインデックスリング１９０（図４Ａに示す）を備え、イジェクタインデックスリング１９０は、ディスペンサ筐体１０６、下方筐体セクション１５４、中間筐体セクション１５５、および上方筐体セクション１５６のうちの少なくとも１つの内部表面に対して配置されて、イジェクタ１４０の動きのためのガイドを提供する。
【００４７】
加えて、デテントプランジャ１４６が、カートリッジ１１４の長手軸に対してほぼ直角に配置されて、カートリッジ１１４の第２の端部の近くで接続されるものとすることができ、カートリッジ１１４の周囲溝１３４に横向きの圧力を提供し、カートリッジ１１４を垂直なＹ軸に沿って適所に保ち、イジェクタ１４０、イジェクタばね１４２、およびイジェクタばねピン１４４による張力によってカートリッジ１１４に加えられる反対の力に反作用する。イジェクタ１４０は、化粧品ディスペンサ１００内に配置され、カートリッジ１１４に対してほぼ平行に動くことができ、イジェクタばね１４２に接続され、イジェクタばね１４２はさらにイジェクタばねピン１４４に接続される。カートリッジ１１４が化粧品ディスペンサ１００に挿入されるとき、イジェクタ１４０の縁部がカートリッジ１１４の第１の端部の近くの縁部と接触する。イジェクタ１４０がカートリッジ１１４と共に化粧品ディスペンサ１００の中にさらに入っていくにつれて、静止したイジェクタばねピン１４４とイジェクタ１４０との間の距離が広がるのに伴いイジェクタばね１４２が伸長するので、イジェクタ１４０はカートリッジ１１４に圧力を加える。デテントプランジャ１４６の第１の端部がカートリッジ１１４の周囲溝１３４と接触する地点までカートリッジ１１４が挿入されると、Ｙ軸に沿ったカートリッジ１１４の動きは制限され、カートリッジ１１４は適所に保持される。
【００４８】
デテントプランジャ１４６は、カートリッジ１１４を適所に保持するための機構である。デテントプランジャ１４６は、カートリッジ１１４の長軸に対してほぼ直角な軸に沿って動く。デテントプランジャ１４６の第１の端部は、カートリッジ１１４と接触するように配置される。第２の端部は、デテントばね１５２の第１の端部に接続され、デテントばね１５２の第２の端部は、ディスペンサ筐体１０６、下方筐体セクション１５４、中間筐体セクション１５５、上方筐体セクション１５６、または他の内部構造のうちの少なくとも１つの内部表面と接する。カートリッジ１１４を化粧品ディスペンサ１００に挿入すると、デテントプランジャ１４６がデテントばね１５２に対して変位され、デテントばね１５２が圧縮される。カートリッジ１１４の輪郭はカートリッジ１１４の長さにわたって変動するので、デテントプランジャ１４６およびデテントばね１５２は、化粧品ディスペンサ１００に対するカートリッジ１１４の位置に応じた変動量だけ変位される。デテントプランジャ１４６がカートリッジ１１４の周囲溝１３４と接触する地点で、デテントプランジャ１４６の第１の端部は、デテントばね１５２の圧力と、デテントプランジャ１４６と周囲溝１３４との間の幾何学的関係とにより、カートリッジ１１４を適所でロックすることができる。
【００４９】
さらに、カートリッジ１１４は、底部プレート１６６のカートリッジ貫通孔１７２を通して化粧品ディスペンサ１００に挿入される。カートリッジ貫通孔１７２は、基部キー１６４に対応するように形作られた基部キーカットアウト１６５（図７Ａ）を有し、したがって、基部キー１６４と基部キーカットアウト１６５とが接触すると、カートリッジ１１４は底部プレート１６６に対して相対的に回転できなくなる。カートリッジ１１４はまた、底部プレート１６６およびカートリッジ歯車１１６に特定の配向ではめ込まれるように形作られる。カートリッジ１１４が化粧品ディスペンサ１００に完全に挿入されてデテントプランジャ１４６によって適所でロックされた位置では、カートリッジ１１４は、カートリッジ歯車１１６に対して据え付けられる。加えて、カートリッジ歯車１１６は、歯車ハウジング１７０に回転可能に接続されたカラー１６８部分を有する。カラー１６８部分は、カートリッジ歯車１１６が長手軸の周りで回転することはできるが軸方向または他の方向に動くことはできないように、カートリッジ歯車１１６の動きを制限し、また、カートリッジ歯車１１６およびモータ歯車１２４の各々の位置を支持する。同様に、モータ歯車１２４は、歯車ハウジング１７０に回転可能に接続されたモータ歯車カラー１６９部分を有する。モータ歯車カラー１６９部分は、モータ歯車１２４が長手軸の周りで回転することはできるが軸方向または他の方向に動くことはできないように、モータ歯車１２４の動きを制限し、また、モータ歯車１２４の輪転運動の結果として固定比率のカートリッジ歯車１１６の輪転運動が得られるように、カートリッジ歯車１１６とモータ歯車１２４との関係を維持する。
【００５０】
モータ歯車１２４は、キーカットアウト１６３（図６）を備える平歯車とすることができ、キーカットアウト１６３は、図４Ｂによって述べるようにカートリッジ１１４のカートリッジキー１６２に適合する。
【００５１】
図５は、一例による、カートリッジ１１４の斜視図である。カートリッジ１１４は、丸い円筒形の筐体と、第１の端部におけるノズル１６０とを有する。ノズル１６０はさらに、カートリッジキー１６２の近くに配置される。カートリッジキー１６２は、カートリッジ歯車１１６の開口の内部に適合し、カートリッジ歯車１１６のキーカットアウト１６３の形状に対応し、カートリッジ歯車１１６がモータ歯車１２４およびモータ１１２によって駆動されるときにカートリッジ１１４の第１の端部の近くの部分の回転運動をカートリッジ歯車１１６の回転運動とロックする。カートリッジ１１４の第２の端部は、基部キー１６４を備える。基部キー１６４は、底部プレート１６６の基部キーカットアウト１６５の内部に適合し、カートリッジ１１４の第２の端部を底部プレート１６６に固定し、底部プレート１６６に対して相対的なカートリッジ１１４の第２の端部の回転運動を防止する。カートリッジ１１４の第１の端部はカートリッジ歯車１１６の動きに固定されるので、モータ１１２が作動されると、モータ歯車１２４が回転し、カートリッジ歯車１１６が駆動され、それによりカートリッジ１１４のノズル１６０が開閉される。カートリッジ１１４の第１および第２の端部は、相互に対して相対的に回転することができる。
【００５２】
カートリッジ１１４は、化粧料を含み、必要に応じて、ある量の化粧料をコンパクト１０８に定量吐出する（図９によってさらに述べる）。カートリッジ１１４がＹ軸に沿ってほぼ垂直に適所に留まる間、カートリッジ１１４は、カートリッジ歯車１１６の回転によって化粧料を定量吐出する。カートリッジ歯車１１６は、モータ１１２の回転によって回されるモータ歯車１２４によって駆動される。モータ１１２の回転の大きさは、コントローラ１５０によって制御される。
【００５３】
カートリッジ１１４の第２の端部に対する、第１の端部の第１の回転運動によって、ある量の化粧料がノズル１６０を通してカートリッジ１１４から放出される。第１の回転運動と反対の第２の方向への、カートリッジ１１４の第１の端部の回転運動が、カートリッジ１１４のノズル１６０を閉じることができる。
【００５４】
カートリッジ歯車１１６は、カートリッジ１１４内の中空のカートリッジ親ねじ２０２に取り付けられたカートリッジ１１４のノズル１６０を作動させる。カートリッジ親ねじ２０２が回転すると、カートリッジピストン２００がそれに比例して変位し、それにより、ある量の化粧料がカートリッジ親ねじ２０２を通してカートリッジ１１４のノズル１６０から押し出される。ノズル１６０の開閉動作中に放出される化粧料の量は、カートリッジ親ねじ２０２の変位の関数であり、この変位は、カートリッジ歯車１１６の回転変位に依存する。モータ１１２が回転すると、それぞれのモータ歯車１２４およびカートリッジ歯車１１６が回転する。コントローラ１５０は、光学エンコーダ１９２を使用してカートリッジ歯車１１６の相対運動を検出し、カートリッジ歯車１１６の回転に伴って光学エンコーダ１９２を通過するカートリッジ歯車スロット１４８の数を数える。また、カートリッジ歯車１１６の回転方向も検出する。化粧料の具体的な測定単位は、用量単位１１８である。
【００５５】
一例では、カートリッジ親ねじ２０２のピッチは約１ｍｍであり、カートリッジ親ねじ２０２が１回完全に回転されると、約１ｍｌの化粧料がカートリッジ１１４から定量吐出される。
【００５６】
別の例では、カートリッジ１１４のカートリッジキー１６２の形状のせいで、周囲溝１３４は、カートリッジ１１４の外周全体を取り囲むのではなくカートリッジ１１４の周囲の一部の周りのノッチまたは溝である場合があり、カートリッジ１１４をほぼ同様にしてデテントプランジャ１４６に固定する。
【００５７】
図６は、一例による、カートリッジ歯車１１６の斜視図である。カートリッジ歯車１１６は、カートリッジ１１４のカートリッジキー１６２の形状に対応するキーカットアウト１６３を備える平歯車とすることができる。カートリッジ歯車１１６はさらに、カラー１６８を有することができ、カラー１６８は、歯車ハウジング１７０の内部表面に回転可能に接続して、カートリッジ歯車１１６および対応するモータ歯車１２４の位置を整合し支持する。カートリッジ歯車１１６は、カートリッジ歯車１１６およびカートリッジ親ねじ２０２の角度位置を検出するために光学エンコーダ１９２と共に使用される複数のカートリッジ歯車スロット１４８を有することができる。
【００５８】
図７Ａは、一例による、底部プレート１６６の斜視図である。底部プレート１６６は、ディスペンサ筐体１０６および／または下方筐体セクション１５４に接続され、化粧品ディスペンサ１００の内部に配置された複数のカートリッジ１１４を拘束し、底部プレート１６６の下に配置された誘導性プレート１７６に化粧品ディスペンサ１００を接続する。
【００５９】
底部プレート１６６は、複数のカートリッジ１１４の挿入、取外し、および固定を可能にするための、複数のカートリッジ貫通孔１７２を有する。各カートリッジ貫通孔１７２は基部キーカットアウト１６５を備え、基部キーカットアウト１６５の形状は、カートリッジ１１４が化粧品ディスペンサ１００に装着されたときに底部プレート１６６と接触する部分であるカートリッジ１１４の第２の端部の回転運動を防止するように、各カートリッジ１１４の基部キー１６４の形状に対応する。
【００６０】
さらに、底部プレート１６６は、接触ピン１７４（図７Ｂに示す）を有する。接触ピン１７４は、誘導性プレートと接触して底部プレート１６６に電気を提供し、化粧品ディスペンサ１００が接触または誘導によって複数の電池１２６を充電できるようにする。
【００６１】
図７Ｂは、一例による、下から見た底部プレート１６６の斜視図である。底部プレート１６６は、プレート内に配置された３つのカートリッジ貫通孔１７２と、接触ピン１７４とを備える。底部プレート１６６が化粧品ディスペンサ内で基部１０２の上に配置されたとき、接触ピン１７４は、基部１０２から底部プレート１６６に電気を通すことができる。次いで底部プレート１６６は、底部プレート１６６の上に配置された複数の電池１２６を誘導的に充電することができる。
【００６２】
図８は、一例による、基部１０２の斜視図である。電源コード１０４が、第１の端部において基部１０２に接続される。電源コード１０４は、第２の端部において電源（図示せず）に接続され、化粧品ディスペンサ１００の動作のためおよび複数の電池１２６を充電するための電力を提供する。基部１０２は、誘導性プレート１７６および化粧品ディスペンサ１００の他の部分を置くための、基部くぼみ１２８を備える。基部くぼみ１２８は、電源コード１０４によって供給された電力を使用して複数の電池１２６を誘導的に充電する能力を有することができる。さらに、基部くぼみ１２８はまた、底部プレート１６６が基部くぼみ１２８内に配置されたとき、底部プレート１６６の内部に配置された接触ピン１７４を通して化粧品ディスペンサ１００を充電することもできる。
【００６３】
図９Ａは、一例による、マニホールド１３０の上に配置されるコンパクト１０８の分解斜視図である。コンパクト１０８は、上部ふた１８０、コンパクト基部１８２、および底部ふた１８４を備える。上部ふた１８０は、コンパクト基部１８２の上に配置され、コンパクト基部１８２は、底部ふた１８４の上または底部ふた１８４内に配置される。上部ふた１８０は、図９Ｂによってさらに述べるように、磁石でコンパクト基部１８２に固定される。コンパクト基部１８２は、複数のコンパクト基部貫通孔１３８を備える。この例では、化粧品ディスペンサ１００中の各カートリッジ１１４について１つのコンパクト基部貫通孔１３８がある。底部ふた１８４は、複数の底部ふた貫通孔１３６を有し、コンパクト基部１８２の真下に配置される。この例では、化粧品ディスペンサ１００中の各カートリッジ１１４について１つの底部ふた貫通孔１３６があり、底部ふた１８４は、各底部ふた貫通孔１３６がコンパクト基部１８２のコンパクト基部貫通孔１３８に対応し接続されるように、配置される。
【００６４】
コンパクト１０８はマニホールド１３０に接続され、マニホールド１３０は、歯車ハウジング１７０に接続されるとともに歯車ハウジング１７０の上に配置され、歯車ハウジング１７０はさらに、化粧品ディスペンサ１００のディスペンサ筐体１０６内に配置され、コンパクト１０８は、マニホールド１３０とディスペンサ筐体１０６の両方の上に配置される。マニホールド１３０は、化粧品ディスペンサ１００中の各カートリッジ１１４について１つのマニホールド貫通孔１３２を備え、マニホールド１３０は、各マニホールド貫通孔１３２が底部ふた１８４の底部ふた貫通孔１３６に対応し接続されるように、配置される。さらに、マニホールド１３０の各マニホールド貫通孔１３２は、歯車ハウジング１７０の歯車ハウジングカートリッジ孔１７８に対応し歯車ハウジングカートリッジ孔１７８の上に配置され、各カートリッジ１１４のノズル１６０からマニホールド１３０および底部ふた１８４を通ってコンパクト基部１８２に化粧料を定量吐出できる通路を提供する。
【００６５】
コンパクト１０８は、コンパクト１０８が化粧品ディスペンサ１００に接続できる配向が１つしかないような形を有することができる。別の例では、コンパクト１０８の形は、１つよりも多い配向でコンパクト１０８に接続できるような形とすることができる。
【００６６】
さらに、コンパクト１０８の底部ふた１８４中の各底部ふた貫通孔１３６内に配置された一方向ダックビルバルブ１９４（図示せず）の使用によって、コンパクト１０８に定量吐出された化粧料が逆流出しないようにすることができる。
【００６７】
図９Ｂは、一例による、開位置のコンパクト１０８の斜視図である。コンパクト１０８は、上部ふた１８０、コンパクト基部１８２、底部ふた１８４、複数のヒンジ磁石１８６ａ、１８６ｂ、１８６ｃ、および１８６ｄ、複数のふた磁石１８８ａ、１８８ｂ、１８８ｃ、および１８８ｄ、ならびに複数の取付け磁石１９６ａ、１９６ｂ、および１９６ｃを備える。
【００６８】
一例では、コンパクト基部１８２、複数の取付け磁石１９６ａ〜１９６ｃ、複数のふた磁石の第１の半分１８８ｂおよび１８８ｄ、ならびに複数のヒンジ磁石の第１の半分１８６ｂおよび１８６ｄが、底部ふた１８４内に配置され、コンパクト基部１８２がその上に配置される。複数の取付け磁石１９６ａ〜１９６ｃは、例えばマニホールド１３０（図９Ａ）に接続することによって、コンパクト１０８を化粧品定量吐出デバイス１００に磁気的に接続するように配置される。マニホールド１３０、またはマニホールド１３０の表面の一部は、鉄材料で形成されるかまたは対応する磁石を備えるものとすることができ、それにより、複数の取付け磁石１９６ａ〜１９６ｃに磁気的に付着する。
【００６９】
複数のふた磁石の第２の半分１８８ａおよび１８８ｃは、上部ふた１８０の面内に配置され、複数のヒンジ磁石の第２の半分１８６ａおよび１８６ｃは、上部ふた１８０の面内に配置される。ヒンジ磁石１８６ｂおよび１８６ｄは、底部ふた１８４の面内に配置され、それにより、上部ふた１８０と底部ふた１８４との間の相対的な位置に応じて、対応するヒンジ磁石１８６ａおよび１８６ｃと少なくとも２つの平面で接することができる。ヒンジ磁石１８６ａと１８６ｂは、反対の磁極性を有し、ヒンジ磁石１８６ｃと１８６ｄ、ふた磁石１８８ａと１８８ｂ、およびふた磁石１８８ｃと１８８ｄのそれぞれの対も同様である。
【００７０】
複数の取付け磁石１９６ａ〜１９６ｃおよび複数のふた磁石１８８ａ〜１８８ｄは、コンパクト基部１８２中に配置された複数のコンパクト基部貫通孔１３８が塞がれないように、配置されるものとすることができ、それにより、化粧料が定量吐出される際に各カートリッジ１１４からコンパクト１０８中に流れるのを可能にする。
【００７１】
コンパクト１０８が開位置にある場合、上部ふた１８０および底部ふた１８４は、ほぼ直角の平面に位置決めされ、ヒンジ磁石１８６ａおよび１８６ｃは、それぞれヒンジ磁石１８６ｂおよび１８６ｄに磁気的に接続される。ヒンジ磁石１８６ａと１８６ｂ、およびヒンジ磁石１８６ｃと１８６ｄの各対の間の磁力は、上部ふた１８０を底部ふた１８４に対して適正位置に保持するのに十分である。
【００７２】
コンパクト１０８が閉位置にある場合、上部ふた１８０および底部ふた１８４は、ほぼ平行の平面に位置決めされ、ヒンジ磁石１８６ａおよび１８６ｃは、それぞれヒンジ磁石１８６ｂおよび１８６ｄに磁気的に接続され、ふた磁石１８８ａおよび１８８ｃは、対応する位置に配置されてそれぞれふた磁石１８８ｂおよび１８８ｄと磁気的に接続される。ヒンジ磁石１８６ａと１８６ｂ、およびヒンジ磁石１８６ｃと１８６ｄの対の間、ならびに、ふた磁石１８８ａと１８８ｂの対、およびふた磁石１８８ｃと１８８ｄの対の間の磁気的接続は、閉位置で上部ふた１８０を底部ふた１８４に接続された状態に保つのに十分である。
【００７３】
上部ふた１８０は底部ふた１８４に磁気的に接続されるので、上部ふた１８０は、底部ふた１８４から完全に取外し可能とすることができる。さらに、上部ふた１８０は、閉位置で、上部ふた１８０および底部ふた１８４内での複数のヒンジ磁石１８６ａ〜１８６ｄおよびふた磁石１８８ａ〜１８８ｄの配置に応じて、ｘ−ｚ平面の周りの１つよりも多い配向で底部ふた１８４と接続することができてもよい。さらに、上部ふた１８０が底部ふた１８４の周りで旋回するか、またはその逆で旋回して、ｘ軸またはｚ軸の周りなど、１つよりも多い軸の周りで開閉することができてもよい。
【００７４】
別法として、複数の取付け磁石１９６ａ〜１９６ｃは、コンパクト１０８を化粧品定量吐出デバイス１００に固定するのに十分な強度の、１つの取付け磁石１９６で代用されてもよい。
【００７５】
別法として、複数のヒンジ磁石１８６ａ〜１８６ｄは、コンパクト１０８が開位置または閉位置にある場合に上部ふた１８０の１つの面を底部ふた１８４に固定するのに十分な強度の、上部ふた１８０中の１つのヒンジ磁石１８６ａおよび底部ふた１８４中の１つのヒンジ磁石１８６ｂで代用されてもよい。
【００７６】
別法として、複数のふた磁石１８８ａ〜１８８ｄは、コンパクト１０８が閉位置にある場合に上部ふた１８０の１つの面を底部ふた１８４に固定するのに十分な強度の、上部ふた１８０中の１つのふた磁石１８８ａおよび底部ふた１８４中の１つのふた磁石１８８ｂで代用されてもよい。
【００７７】
図１０は、一例による、化粧品調合方法９００の主要プロセスの例示的なシーケンスを表す図である。本明細書で提供する例はそれぞれ３つのカートリッジを有するが、任意の数のカートリッジ１１４が装備された化粧品ディスペンサ１００によって同じプロセスが使用されてよい。化粧品調合方法９００は、検出プロセスＳ９２０、選択プロセスＳ９４０、および定量吐出プロセスＳ９６０を含む。追加の混合プロセスＳ９８０がユーザによって実施されてもよい。検出プロセスＳ９２０、選択プロセスＳ９４０、および定量吐出プロセスＳ９６０は、コントローラ１５０から受け取られたコマンドに基づいて化粧品デバイス１００によって実施され、コントローラ１５０は、図３および図４で述べたように、スマートデバイス３００を通して、または化粧品デバイス１００自体の上のインジケータによって、ユーザにデータを送りユーザから入力を受け取る。
【００７８】
図１１は、一例による、化粧品ディスペンサ１００中の化粧料を検出するプロセスの例を表すプロセス図である。Ｓ９２０は、化粧料を検出するためのプロセスを表す。プロセスＳ９２０は、カートリッジ１１４の取外しおよび装着を検出するステップ９２１と、カートリッジ１１４の少なくとも１つの材料特性を検出するステップ９２２と、カートリッジ１１４中の化粧料の量を検出する任意選択ステップ９２３と、将来の定量吐出動作が実施された後の推定されるカートリッジの消耗を計算するための任意選択ステップ９２４と、のステップのうちの少なくとも１つを含むことができる。
【００７９】
複数のカートリッジ１１４の各々の中の材料の量を検出する任意選択ステップ９２３は、例えば、各カートリッジ１１４の装着以降に光学エンコーダ１９２によって検出されたカートリッジ歯車１１６の総計的な正味変位（回転）に例えば基づいて、カートリッジＡの材料の量を検出するステップ９２３ａ、カートリッジＢの材料の量を検出するステップ９２３ｂ、およびカートリッジＣの材料の量を検出するステップ９２３ｃを含むことができる。
【００８０】
複数のカートリッジ１１４の各々における少なくとも１つの材料特性を検出する任意選択ステップ９２４は、例えば、カートリッジＡの少なくとも１つの材料特性を検出するステップ９２４ａ、カートリッジＢの少なくとも１つの材料特性を検出するステップ９２４ｂ、およびカートリッジＣの少なくとも１つの材料特性を検出するステップ９２４ｃを含むことができる。材料特性は、色、テクスチャ、光沢、水分、栄養含有量、および化学組成からなる組からの少なくとも１つを含むことができる。この検出は、ディスペンサ１００中に配置された近接場センサに基づいて実施することができ、この近接場センサは、当技術分野でよく理解されている方法に従って、カートリッジの内容の情報を記憶したカートリッジ上のＲＦＩＤタグを検出する。カートリッジ上に印刷されたバーコードのバーコード検出、または当技術分野でよく理解されている方法を使用した検出など、代替の検出方法を使用してもよい。各カートリッジにおける少なくとも１つの材料特性を検出するステップは、各カートリッジ中の化粧料の量を検出する任意選択ステップの前に実施してもよい。
【００８１】
さらに、プロセスＳ９２０は、化粧品ディスペンサ１００内のどのカートリッジ１１４の化粧料が最初に消耗すると予期されるか、およびいつまでに消耗すると予期されるかなど、ユーザの履歴使用データから導出されたかまたはユーザのグループにわたって集約された場合のある情報を報告するための任意選択ステップ９２６を含むことができる。
【００８２】
図１２Ａは、一例による、化粧品調合物を選択するプロセスＳ９４０の例を表すプロセス図である。Ｓ９４０は、化粧品調合物を選択するためのプロセスを含む。プロセスＳ９４０は、検出プロセスＳ９２０によって確立された、化粧品ディスペンサ１００内にある化粧料のタイプおよび量に基づいて、可能な化粧品調合物の組合せを識別するステップを含む。
【００８３】
ステップ９４２ｄは、化粧品ディスペンサ１００内にある化粧料のタイプおよび量について可能な１組の化粧品調合物からユーザが選択することに基づくことができ、または、ステップ９４２ｃは、化粧品ディスペンサ１００が使用できる化粧料のタイプおよび量について可能な化粧料インベントリ２０４のより大きい組から、ユーザが選べるようにする。
【００８４】
別の例では、プロセスＳ９４０のステップ９４３は、所望の用量単位１１８をユーザが選べるようにすることを含む。特定の化粧品調合物のための特定量の用量単位１１８を定量吐出するのに、１つまたは複数の化粧料が利用可能量よりも多く必要とされる場合、用量単位１１８を変動させることで、化粧品ディスペンサ１００内からの利用可能な化粧品調合物の組を変更することができる。
【００８５】
例えば、カートリッジＡが黄色の化粧料を含み、カートリッジＢが赤色の化粧料を含み、カートリッジＣが緑色の化粧料を含み、カートリッジＡの用量単位１１８が１しか残っていない場合、ユーザは、黄色の化粧料の用量単位１１８を１よりも多く必要とするどんな用量単位１１８と化粧品調合物の組合せを定量吐出することも選べないことになる。
【００８６】
さらに、プロセスＳ９４０は、ユーザが写真のマッチングに基づいて化粧品調合物を選択するためのステップ９４２ａ、ユーザが推奨に基づいて化粧品調合物を選択するためのステップ９４２ｂ、または、別のプロセスに基づいて化粧品調合物を選択することを含むことができる。米国特許第８，６３４，６４０号は、カメラまたは電子デバイス中の画像またはピクチャから色を選択し、色参照データを使用して色を実質的にマッチングする方法を記述しており、この米国特許の全体は参照により本明細書に組み込まれる。
【００８７】
別の実施形態では、ユーザの肌特徴の分析に基づいて、ユーザによる選択に向けた推奨される複数の所定の色を提供するために、肌診断（本明細書では肌プロファイルと呼ばれることもある）を実施することができる。肌診断は、ユーザの顔に対して実施された撮像動作に基づいて、ユーザのための適切な色を決定する。Ｌａｎｃｏｍｅ  Ｄｉａｇｎｏｓ  ＡＢＳ、ＨＲ  Ｓｋｉｎｓｃｏｐｅ、Ｂｉｏｔｈｅｒｍ  Ｂｌｕｅｓｍａｒｔ、ＫｉｅｈｌのＳｋｉｎｐｒｏｆｉｌｅｒ  Ｖ．０、ＣＡ  Ｄｅｒｍａｎａｌｙｚｅｒ、およびＶｉｃｈｙ  Ｖｉｃｈｙｃｏｎｓｕｌｔを参照されたい。
【００８８】
可能ではあるが検出プロセスＳ９２０の結果に基づくと利用可能ではない化粧品調合物については、化粧品ディスペンサ１００は、そのような化粧品調合物を定量吐出するのにどんな化粧料が必要かをユーザに通信することができる。
【００８９】
一例では、ステップ９４４で、ユーザは、現在利用可能でない化粧品調合物の用量単位１１８を選択する。ステップ９４４では、選択された化粧品調合物を混合して定量吐出するのにどんな化粧料が（どんなタイプのカートリッジ１１４が、など）必要とされるかを決定することができる。
【００９０】
別の例では、ステップ９４４では、満杯だが他の点では同一であるカートリッジ１１４で特定のカートリッジ１１４が置き換えられた場合に、どんな追加の化粧品調合物が利用可能になるであろうかを決定することができる。
【００９１】
別の例では、ステップ９４４では、異なる化粧料を含む別のカートリッジ１１４でカートリッジ１１４が置き換えられた場合に、どんな追加の化粧品調合物が利用可能になるであろうかを決定することができる。
【００９２】
ステップ９４５では、ステップ９４４の帰結に基づいて、ステップ９４７に進んでユーザに確認を促し化粧品調合物の定量吐出に進むか、それともステップ９４６に進んでどんなカートリッジ１１４が所望の化粧品調合物の定量吐出に必要とされるかを報告するか、を決定する。
【００９３】
図１２Ｂに、ステップ９４８で化粧品調合物がすでに受け取られて現在ディスペンサ装置１００に記憶されている状態の後で、ディスペンサ装置１００単独で実施される任意選択プロセスＳ９４０ｂを示す。Ｓ９４０ｂの残りのステップ９４３〜９４７は、図１２Ａによって述べたＳ９４０のステップと同一である。図１２Ｂのプロセスは、ディスペンサ装置１００とデバイス３００との間で確立される既存の接続なしで実施することができる。
【００９４】
図１３は、一例による、化粧品ディスペンサ１００中の化粧料を定量吐出するプロセスＳ９６０の例を表すプロセス図である。ステップＳ９６１は、少なくとも１用量単位の化粧品調合物を定量吐出するためのステップを表す。プロセスＳ９６０は、プロセスＳ９４０でユーザによって選択された化粧品調合物を生み出すために、要求される量の化粧料を少なくとも１つのカートリッジ１１４から射出するステップ９６２ａ〜９６２ｃを含み、それにより、化粧品調合物は、塗布すること、容器中で運搬すること、または他の方法でユーザに利用可能とすることができる。プロセスＳ９６０は、各カートリッジ中の化粧料の残量を検出する任意選択ステップ９６３ａ〜９６３ｃ、および結果を定量吐出装置のメモリに記録する任意選択ステップ９６４を含む。
【００９５】
定量吐出プロセスＳ９６０が完了すると、ユーザは、放出された化粧料を手動で混合して、要求される化粧品調合物を生み出すプロセスＳ９８０を実施することができる。
【００９６】
図１４は、一例による、コネクテッド化粧品定量吐出システムの例を表す図である。システム４００は、前述の化粧品ディスペンサ１００を実装し、化粧品ディスペンサ１００およびコネクテッドデバイス３００を少なくとも含む。任意選択で、システムはさらに、クラウドコンピューティング環境の一部として実装される１つまたは複数の外部サーバ４１０を含むこともできる。そのうえ、システムは任意選択で、化粧品デバイス１００に挿入できる可能な化粧料のインベントリである化粧料インベントリ２０４を含むこともできる。
【００９７】
コネクテッドデバイス３００は、パーソナルコンピュータ（ＰＣ）、ラップトップコンピュータ、ＰＤＡ（Ｐｅｒｓｏｎａｌ  Ｄｉｇｉｔａｌ  Ａｓｓｉｓｔａｎｔ）、スマートフォン、タブレットデバイス、ＵＭＰＣ（Ｕｌｔｒａ  Ｍｏｂｉｌｅ  Ｐｅｒｓｏｎａｌ  Ｃｏｍｐｕｔｅｒ）、ネットブック、またはノートブックタイプのパーソナルコンピュータとすることができる。以下の例では、コネクテッドデバイス３００は、Ａｐｐｌｅ  ｉＰａｄなどのタブレットデバイスであると仮定する。
【００９８】
コネクテッドデバイス３００は、化粧品ディスペンサ１００上のワイヤレス通信インタフェース回路７７４を用いて、化粧品ディスペンサ１００とのワイヤレス通信を実施することができる。しかし、コネクテッドデバイス３００はまた、装置１００上のＵＳＢインタフェース７７６を用いて、化粧品ディスペンサ１００への有線接続を有することもできる。加えて、化粧品ディスペンサ１００を含めた各デバイスは、ワイヤレスインターネットアクセスポイントへの８０２．１１ワイヤレス接続を介したインターネット接続を通して、または、Ｅｔｈｅｒｎｅｔインタフェースなどを通したインターネットアクセスポイントへの物理接続を通して、相互と、かつ外部の１つまたは複数のデバイスと通信することができる。各コネクテッドデバイス３００は、ブルートゥース接続または他のワイヤレス手段などを通して、他のデバイスとのワイヤレス通信を実施することもできる。
【００９９】
コネクテッドデバイス３００は、化粧料をコンパクト１０８に定量吐出するために化粧品ディスペンサ１００によって使用されることになる、化粧品調合物を生成する際に使用される情報を、ユーザから受け取るように構成される。
【０１００】
図１５は、一例による、コントローラ１５０および化粧品ディスペンサ１００の回路を表すブロック図である。中央処理装置（ＣＰＵ）７１０が、ディスペンサ制御回路７４０（モータ１１２のための制御回路、光学エンコーダ１９２のための回路、および誘導性センサ回路を含む場合がある）など、装置に備わる別々の回路コンポーネントに対する主要制御を提供する。ＣＰＵ７１０はまた、任意選択の入出力デバイス７７２（キーボードやマウスなど）、メモリ７８０、ワイヤレス通信インタフェース回路７７４、ユニバーサルシリアルバス（ＵＳＢ）コントローラ７７６、ＬＥＤドライバ７７８、および表示モジュール７８０を制御することもできる。ＬＥＤドライバ７７８は、１つまたは複数のインジケータライト１２２のパルシングを制御する。
【０１０１】
一実施形態では、回路はとりわけ、プロセッサ（例えば、マイクロプロセッサ、量子プロセッサ、Ｑｕｂｉｔプロセッサなど）、中央処理装置（ＣＰＵ）、ディジタル信号プロセッサ（ＤＳＰ）、特定用途向け集積回路（ＡＳＩＣ）、フィールドプログラマブルゲートアレイ（ＦＰＧＡ）等、またはこれらの任意の組合せなど、１つまたは複数のコンピューティングデバイスを備え、ディスクリートディジタルもしくはアナログ回路要素もしくは電子機構、またはこれらの組合せを含むことができる。
【０１０２】
一実施形態では、モジュールは、複数の事前定義済みロジックコンポーネントを有する１つまたは複数のＡＳＩＣを備える。
【０１０３】
一実施形態では、モジュールは、複数のプログラマブルロジックコンポーネントを各々が有する１つまたは複数のＦＰＧＡを備える。
【０１０４】
一実施形態では、回路は、相互に動作可能に結合された（例えば、通信的、電磁的、磁気的、超音波的、光学的、誘導的、電気的、容量的に結合された、ワイヤレスに結合された、など）１つまたは複数のコンポーネントを備える。
【０１０５】
一実施形態では、回路は、リモートに位置する１つまたは複数のコンポーネントを備える。
【０１０６】
一実施形態では、リモートに位置するコンポーネントは、例えばコネクテッドデバイス３００などとのワイヤレス通信を介して、動作可能に結合される。
【０１０７】
一実施形態では、リモートに位置するコンポーネントは、例えば１つまたは複数の通信モジュール、受信機、送信機、送受信機などを介して、動作可能に結合される。
【０１０８】
一実施形態では、図１５に示すＣＰＵ７１０または他のコンポーネントのいずれかは、代替の回路要素で代用されてもよい。回路の例は、命令または情報を例えば記憶するメモリを含む。メモリの非限定的な例は、揮発性メモリ（例えば、ランダムアクセスメモリ（ＲＡＭ）、ダイナミックランダムアクセスメモリ（ＤＲＡＭ）など）、不揮発性メモリ（例えば、読取専用メモリ（ＲＯＭ）、電気的に消去可能プログラム可能な読取専用メモリ（ＥＥＰＲＯＭ）、コンパクトディスク読取専用メモリ（ＣＤ−ＲＯＭ）など）、永続的メモリなどを含む。メモリのさらに他の非限定的な例は、消去可能プログラム可能な読取専用メモリ（ＥＰＲＯＭ）、フラッシュメモリなどを含む。
【０１０９】
一実施形態では、メモリは、例えば、１つまたは複数の命令バス、情報バス、または電力バスによって、１つまたは複数のコンピューティングデバイスに結合される。
【０１１０】
一実施形態では、回路は、１つまたは複数のコンピュータ可読媒体ドライブ、インタフェースソケット、ユニバーサルシリアルバス（ＵＳＢ）ポート、メモリカードスロットなどと、１つまたは複数の入出力コンポーネント、例えば、グラフィカルユーザインタフェース、ディスプレイ、キーボード、キーパッド、トラックボール、ジョイスティック、タッチスクリーン、マウス、スイッチ、ダイヤルなどと、他の任意の周辺デバイスとを備える。
【０１１１】
一実施形態では、モジュールは、少なくとも１つのパラメータ（例えば、ターンオン電圧における検出された移行に応答して１つまたは複数の組織熱プロパティを決定することに関連する）に対して、制御（電気的制御、電気機械的制御、ソフトウェアによって実装される制御、ファームウェアによって実装される制御、もしくは他の制御、またはこれらの組合せ）を行うように構成された少なくとも１つのコンピューティングデバイスに動作可能に結合された、１つまたは複数のユーザ入出力コンポーネントを含む。
【０１１２】
一実施形態では、回路は、信号担持媒体（例えば、コンピュータ可読メモリ媒体、コンピュータ可読記録媒体など）を受容するように構成されたコンピュータ可読媒体ドライブまたはメモリスロットを含む。
【０１１３】
一実施形態では、開示される方法のいずれかをシステムに実行させるためのプログラムを、例えばコンピュータ可読記録媒体や信号担持媒体などに記憶することができる。信号担持媒体の非限定的な例は、磁気テープ、フロッピーディスク、ハードディスクドライブ、コンパクトディスク（ＣＤ）、ディジタルビデオディスク（ＤＶＤ）、ブルーレイディスク、ディジタルテープ、コンピュータメモリなど、記録可能タイプの媒体、ならびに、ディジタルまたはアナログ通信媒体など、伝送タイプの媒体（例えば、光ファイバケーブル、導波管、有線通信リンク、ワイヤレス通信リンク（例えば、受信機、送信機、送受信機、送信ロジック、受信ロジックなど））を含む。信号担持媒体のさらに他の非限定的な例は、次のものに限定されないが、ＤＶＤ−ＲＯＭ、ＤＶＤ−ＲＡＭ、ＤＶＤ＋ＲＷ、ＤＶＤ−ＲＷ、ＤＶＤ−Ｒ、ＤＶＤ＋Ｒ、ＣＤ−ＲＯＭ、スーパーオーディオＣＤ、ＣＤ−Ｒ、ＣＤ＋Ｒ、ＣＤ＋ＲＷ、ＣＤ−ＲＷ、ビデオコンパクトディスク、スーパービデオディスク、フラッシュメモリ、磁気テープ、磁気光ディスク、ミニディスク、不揮発性メモリカード、ＥＥＰＲＯＭ、光ディスク、光学ストレージ、ＲＡＭ、ＲＯＭ、システムメモリ、ウェブサーバなどを含む。
【０１１４】
一実施形態では、回路は、音響変換器、電気音響変換器、電気化学変換器、電磁変換器、電気機械変換器、静電変換器、光電変換器、無線音響変換器、熱電変換器、または超音波変換器を含む。
【０１１５】
一実施形態では、回路は、変換器と動作可能に結合された電気回路（例えば、アクチュエータ、モータ、圧電結晶、微小電気機械システム（ＭＥＭＳ）など）を含む。
【０１１６】
一実施形態では、回路は、少なくとも１つのディスクリート電気回路を有する電気回路、少なくとも１つの集積回路を有する電気回路、または、少なくとも１つの特定用途向け集積回路を有する電気回路を含む。
【０１１７】
一実施形態では、回路は、コンピュータプログラムによって構成された汎用コンピューティングデバイス（例えば、本明細書に記載のプロセスおよび／もしくはデバイスを少なくとも部分的に実現するコンピュータプログラムによって構成された汎用コンピュータ、または、本明細書に記載のプロセスおよび／もしくはデバイスを少なくとも部分的に実現するコンピュータプログラムによって構成されたマイクロプロセッサ）を形成する電気回路；メモリデバイス（例えば、いくつかの形のメモリ（例えば、ランダムアクセス、フラッシュ、読取専用など））を形成する電気回路；通信デバイス（例えば、モデム、通信スイッチ、光学電気機器など）を形成する電気回路；ならびに／あるいは、光学的なまたは他の類似物など、これらの電気回路に対する任意の非電気的な類似物；を含む。
【０１１８】
したがって、以上の考察は、本発明の例示的な実施形態のみを開示および記述するものである。当業者には理解されるであろうが、本発明は、その趣旨または本質的な特性を逸脱することなく、他の特定の形で具現化されてもよい。したがって、本発明の開示は、例証的なものとし、本発明ならびに他の請求項の範囲を限定するものとはしない。本明細書における教示の、すぐに識別可能な任意の異形を含めて、本開示は、本発明のどんな主題も公衆に献呈されないように、前述の請求項術語の範囲を部分的に定義する。
【図１】
2019511933.tif 000003
【図２】
2019511933.tif 000004
【図３】
2019511933.tif 000005
【図４Ａ】
2019511933.tif 000006
【図４Ｂ】
2019511933.tif 000007
【図５】
2019511933.tif 000008
【図６】
2019511933.tif 000009
【図７Ａ】
2019511933.tif 000010
【図７Ｂ】
2019511933.tif 000011
【図８】
2019511933.tif 000012
【図９Ａ】
2019511933.tif 000013
【図９Ｂ】
2019511933.tif 000014
【図１０】
2019511933.tif 000015
【図１１】
2019511933.tif 000016
【図１２Ａ】
2019511933.tif 000017
【図１２Ｂ】
2019511933.tif 000018
【図１３】
2019511933.tif 000019
【図１４】
2019511933.tif 000020
【図１５】
2019511933.tif 000021
【国際調査報告】
2019511933.tif 000022
2019511933.tif 000023